(57)【要約】【課題】本発明は、清掃具に関する。【解決手段】本発明における清掃具は、ダクトに回転可能に取り付けられている掃除機ヘッドを備えている。掃除機ヘッドは、攪拌装置チャンバを有している本体と、攪拌装置チャンバの内部に延在している軸部と、軸部に取り付けられている駆動組立体と、駆動組立体を囲むように攪拌装置チャンバの内部に取り付けられている攪拌装置とを備えている。駆動組立体によって発生されるトルクが攪拌装置に伝達するように、駆動組立体が攪拌器に結合されている。さらに、掃除機ヘッドの重心が回転軸線を含む垂直面に配置されるように、駆動組立体が軸部に沿って取り付けられている。【選択図】図８
2015177978.tif 000002
【特許請求の範囲】
【請求項１】
ダクトに回転可能に取り付けられている掃除機ヘッドを備えている清掃具において、
前記掃除機ヘッドが、
攪拌装置チャンバを有している本体と、
前記攪拌装置チャンバの内部に延在している軸部と、
前記軸部に取り付けられている駆動組立体と、
前記駆動組立体を囲むように前記攪拌装置チャンバの内部に取り付けられている攪拌装置と、
を備えており、
前記駆動組立体によって発生されるトルクが前記攪拌装置に伝達するように、前記駆動組立体が前記攪拌装置に結合されており、
前記掃除機ヘッドが、回転軸線を中心として前記ダクトに対して相対的に回転するようになっており、
前記掃除機ヘッドの重心が前記回転軸線を含む垂直面に配置されるように、前記駆動組立体が前記軸部に沿って取り付けられていることを特徴とする清掃具。
【請求項２】
前記駆動組立体が、モータマウントとモータとを備えており、
前記モータマウントが、一方の端部において前記軸部に取り付けられており、反対側の端部において前記モータに取り付けられており、
前記モータマウントが、前記垂直面を貫通して延在していることを特徴とする請求項１に記載の清掃具。
【請求項３】
前記掃除機ヘッドが、前記軸部に取り付けられている軸受組立体を備えており、
前記攪拌装置が、前記軸受組立体に取り付けられていることを特徴とする請求項１又は２に記載の清掃具。
【請求項４】
前記本体が、前記攪拌装置を取り外す際に通過させるための開口部を備えており、
前記掃除機ヘッドが、前記開口部を閉塞するために前記本体に取り付け可能とされる端部キャップを備えており、
前記攪拌装置が、第１の端部において、前記軸受組立体に取り付けられており、第２の端部において、前記端部キャップの内部に配置されている軸受又はブッシュに取り付けられていることを特徴とする請求項３に記載の清掃具。
【請求項５】
前記攪拌装置が、前記回転軸線に対して垂直とされるさらなる回転軸線を中心として回転することを特徴とする請求項１〜４のいずれか一項に記載の清掃具。
【請求項６】
ダクトに回転可能に取り付けられている掃除機ヘッドを備えている清掃具において、
前記掃除機ヘッドが、
攪拌装置チャンバを有している本体と、
前記攪拌装置チャンバの内部に延在している軸部と、
前記軸部に取り付けられている駆動組立体と、
前記駆動組立体を囲むように前記攪拌装置チャンバの内部に取り付けられている攪拌装置と、
を備えており、
前記駆動組立体によって発生されるトルクが前記攪拌装置に伝達されるように、前記駆動組立体が前記攪拌装置に結合されており、
前記掃除機ヘッドが、回転軸線を中心として前記ダクトに対して相対的に回転するようになっており、
前記駆動組立体が、モータマウントとモータとを備えており、
前記モータマウントが、一方の端部において、前記軸部に取り付けられており、反対側の端部において、前記モータに取り付けられており、
前記モータマウントが、前記回転軸線を含む垂直面を貫通して延在していることを特徴とする清掃具。
【請求項７】
前記掃除機ヘッドが、前記軸部に取り付けられている軸受組立体を備えており、
前記攪拌装置が、前記軸受組立体に取り付けられていることを特徴とする請求項６に記載の清掃具。
【請求項８】
前記本体が、前記攪拌装置を取り外す際に通過させるための開口部を備えており、
前記掃除機ヘッドが、前記開口部を閉塞するために前記本体に取り付け可能とされる端部キャップを備えており、
前記攪拌装置が、第１の端部において、前記軸受組立体に取り付けられており、第２の端部において、前記端部キャップの内部に配置されている軸受又はブッシュに取り付けられていることを特徴とする請求項７に記載の清掃具。
【請求項９】
前記攪拌装置が、前記回転軸線に対して垂直とされるさらなる回転軸線を中心として回転することを特徴とする請求項６〜８のいずれか一項に記載の清掃具。
【発明の詳細な説明】
【技術分野】
【０００１】
本発明は、清掃具に関する。
【背景技術】
【０００２】
例えば真空掃除機のような清掃具は、ダクトに回転可能に取り付けられている掃除機ヘッドを含んでおり、掃除機ヘッドは、駆動組立体によって駆動される回転式攪拌装置を含んでいる。一般に、掃除機ヘッドの重心は、掃除機ヘッドの回転中心である回転軸線に対してオフセットされている。結論として、（例えば、障害物を越えるように又は障害物を迂回するように掃除機ヘッド１を操作するために）掃除機ヘッドが床から持ち上げられた場合には、掃除機ヘッドが一方に回転しようとする傾向がある。これにより、掃除機ヘッドの操作が一層困難になる。
【発明の概要】
【発明が解決しようとする課題】
【０００３】
本発明は、ダクトに回転可能に取り付けられている掃除機ヘッドを備えている清掃具であって、掃除機ヘッドが、攪拌装置チャンバを有している本体と、攪拌装置チャンバの内部に延在している軸部と、軸部に取り付けられている駆動組立体と、駆動組立体を囲むように攪拌装置チャンバの内部に取り付けられている攪拌装置とを備えており、駆動組立体によって発生されるトルクが攪拌装置に伝達するように、駆動組立体が攪拌器に結合されており、掃除機ヘッドが、回転軸線を中心としてダクトに対して相対的に回転するようになっており、掃除機ヘッドの重心が回転軸線を含む垂直面に配置されるように、駆動組立体が軸部に沿って取り付けられている、清掃具を提供する。
【課題を解決するための手段】
【０００４】
駆動組立体を攪拌装置の内部に配置させることによって、掃除機ヘッドを比較的小さくすることができる。さらに、駆動組立体は、複雑な伝達機構を必要としないで、トルクを攪拌装置に伝達させることができる。これにより、駆動組立体は、掃除機ヘッドの回転中心である回転軸線を含む垂直面内に掃除機ヘッドの重心が配置されるように位置決めされる。結論として、掃除機ヘッド１が床から持ち上げられた場合であっても、掃除機ヘッドがダクトに対して相対的に回転しない。これにより、掃除機ヘッドの操作が一層容易になる。
【０００５】
掃除機ヘッドの重心が回転軸線上に位置している必要はないので、垂直面を参照する。また、重心が回転軸線の直上又は直下に位置していることによっても、ダクトに対する掃除機ヘッドの回転が防止される。
【０００６】
本出願では、“含んでいる（containing）”との用語は、回転軸線が垂直面内に完全に含まれている（すなわち、回転軸線が垂直面に対して平行とされる）ことを意味し、単に回転軸線が垂直面を貫通していることを意味するのではないことに留意すべきである。
【０００７】
駆動組立体が、モータマウントとモータとを備えている場合がある。モータマウントは、一方の端部において軸部に取り付けられており、反対側の端部においてモータに取り付けられている。さらに、軸部とモータとが垂直面の両側に配置されるように、モータマウントは垂直面を貫通して延在している。攪拌装置の内部に配置されているモータを有している従来技術に基づく掃除機ヘッドでは、一般に、モータは攪拌装置チャンバの一方の端部に配置されている。しかしながら、モータは比較的重い構成部品であるので、掃除機ヘッドの重心が攪拌装置チャンバの一方の端部に引き寄せられる。垂直面を貫通して延在しているモータマウントを利用することによって、掃除機ヘッドの重心が垂直面内に配置されるように、モータが位置決めされる。
【０００８】
掃除機ヘッドが、軸部に取り付けられている軸受組立体を備えており、攪拌装置が、軸受組立体に取り付けられている。これにより、比較的小さい構成を実現することができる。特に、攪拌装置の内径は、攪拌装置と駆動組立体との間に形成される間隙が比較的小さくなる大きさとされる。対照的に、軸受組立体が駆動組立体に取り付けられている場合には、内径が比較的大きい攪拌装置が必要とされる。
【０００９】
掃除機ヘッドの本体は、攪拌装置を取り外す際に通過させるための開口部を備えている。掃除機ヘッドは、開口部を閉塞するために本体に取り付け可能とされる端部キャップを備えている。さらに、攪拌装置が、第１の端部において、軸受組立体に取り付けられており、第２の端部において、第２の端部において端部キャップの内部に配置されている軸受又はブッシュに取り付けられている。取り外し可能とされる攪拌装置は、攪拌装置の清掃、保守、及び修理が一層容易になるという利点を有している。
【００１０】
撹拌器は、掃除機ヘッドの回転軸線に対して垂直とされる軸線を中心として回転する。
【００１１】
第２の実施態様では、本発明は、ダクトに回転可能に取り付けられている掃除機ヘッドを備えている清掃具であって、掃除機ヘッドが、攪拌装置チャンバを有している本体と、攪拌装置チャンバの内部に延在している軸部と、軸部に取り付けられている駆動組立体と、駆動組立体を囲むように攪拌装置チャンバの内部に取り付けられている攪拌装置とを備えており、駆動組立体によって発生されるトルクが攪拌装置に伝達されるように、駆動組立体が攪拌装置に結合されており、掃除機ヘッドが、回転軸線を中心としてダクトに対して相対的に回転するようになっており、駆動組立体が、モータマウントとモータとを備えており、モータマウントが、一方の端部において、軸部に取り付けられており、反対側の端部において、モータに取り付けられており、モータマウントが、回転軸線を含む垂直面を貫通して延在している、清掃具を提供する。
【００１２】
駆動組立体を攪拌装置８の内部に配置させることによって、掃除機ヘッドを比較的小さくすることができる。さらに、駆動組立体は、複雑な伝達機構を必要としないで、トルクを攪拌装置に伝達させることができる。攪拌装置の内部に配置されているモータを有している従来技術に基づく掃除機ヘッドでは、一般に、モータは攪拌装置チャンバの一方の端部に配置されている。しかしながら、モータは比較的重い構成部品であるので、掃除機ヘッドの重心が攪拌装置チャンバの一方の端部に引き寄せられる。掃除機ヘッドの回転中心である回転軸線を含む垂直面を貫通して延在しているモータマウントを利用することによって、掃除機ヘッドの重心が垂直面上に又はその近傍に配置されるように、モータが位置決めされる。結論として、掃除機ヘッドの操作が一層容易になる。
【００１３】
掃除機ヘッドは、軸部に取り付けられている軸受組立体を備えており、攪拌装置が、軸受組立体に取り付けられている。これにより、比較的小さい構成を実現することができる。特に、攪拌装置の内径は、攪拌装置と駆動組立体との間に形成される間隙が比較的小さくなる大きさとされる。対照的に、軸受組立体が駆動組立体に取り付けられている場合には、内径が比較的大きい攪拌装置が必要とされる。
【００１４】
掃除機ヘッドの本体は、攪拌装置を取り外す際に通過させるための開口部を備えている。掃除機ヘッドは、開口部を閉塞するために本体に取り付け可能とされる端部キャップを備えている。さらに、攪拌装置が、第１の端部において、軸受組立体に取り付けられており、第２の端部において、端部キャップの内部に配置されている軸受又はブッシュに取り付けられている。取り外し可能とされる攪拌装置は、攪拌装置の清掃、保守、及び修理が一層容易になるという利点を有している。
【００１５】
撹拌器は、掃除機ヘッドの回転軸線に対して垂直とされる軸線を中心として回転する。
【００１６】
本発明を一層容易に理解するために、本発明の実施例について、添付図面を参照しつつ例示として説明する。
【図面の簡単な説明】
【００１７】
【図１】本発明における掃除機ヘッドを表わす。
【図２】攪拌装置を部分的に省略した状態における掃除機ヘッドの下面図である。
【図３】掃除機ヘッドの第１の端部キャップ及び第２の端部キャップ、軸受組立体、駆動組立体、並びに攪拌装置の分解図である。
【図４】掃除機ヘッドの中心を通過する断面における断面図である。
【図５】図４に表わす断面図の部分図であって、攪拌装置が掃除機ヘッドの本体の内部に取り付けられており、軸受組立体が第２の位置に位置していることを表わす。
【図６】図５に表わす部分図と同一であるが、攪拌装置の一部分が掃除機ヘッドの本体から取り外されており、軸受組立体が第１の位置に位置している点において相違する。
【図７】本発明における清掃具を表わす。
【図８】本発明における清掃具の一部分であって、掃除機ヘッドがダクトに取り付けられており、ダクトに対して相対的に掃除機ヘッドを回転させるための回転軸線を表わす。
【発明を実施するための形態】
【００１８】
図１〜図６に表わす掃除機ヘッド１は、本体２と第１の端部キャップ３と第２の端部キャップ４と軸受組立体５と付勢部材６と駆動組立体７と攪拌装置８とを備えている。
【００１９】
本体２は、攪拌装置チャンバ１０を備えており、攪拌装置８が、攪拌装置チャンバ１０の内部に取り付けられている。開口部１１が、本体２の底面に形成されており、攪拌装置８は、開口部１１を通じて表面を攪拌することができる。さらなる開口部１２が、本体２の側面に形成されており、攪拌装置８は、さらなる開口部１２を通じて本体２から取り外し可能とされる。
【００２０】
第１の端部キャップ３及び第２の端部キャップ４が、攪拌装置チャンバ１０の側面それぞれにおいて本体２に固定されている。第１の端部キャップ３は、側面開口部１２を閉塞するように本体２に固定されている。第１の端部キャップ３は、バヨネット方式で固定されており、複数のＬ字状のスロットを備えている。Ｌ字状のスロットは、本体２に形成されている複数の突起と係合するようになっており、Ｌ字状のスロットの数量は、当該突起の数量と同一とされる。第２の端部キャップ４は、ディスク２０と、ディスク２０の中心に延在している軸部２１と、軸部２１を囲んでいるスプロケット２２とを備えている。第２の端部キャップ４は、軸部２１が攪拌装置チャンバ１０の内部に延在するように、本体２に固定されている。
【００２１】
軸受組立体５は、軸部２１に滑動可能に取り付けられている。軸部２１に沿った軸受組立体５の移動は、一方の向きにおいては、軸部２１に取り付けられている駆動組立体７によって制限されており、反対の向きにおいては、ディスク２０によって制限されている。結論として、軸受組立体５は、軸受組立体５が駆動組立体７に接触している第１の位置（図６参照）と軸受組立体５がディスク２０に接触している第２の位置（図５参照）との間において移動可能とされる。
【００２２】
軸受組立体５は、キャリッジ３０と、キャリッジ３０に固定されている軸受３１と、軸受３１に固定されているマウント３２とを備えている。キャリッジ３０は、第１の部分と第２の部分とを有している。第１の部分は、軸部２１を囲んでいるカラー３３を備えている。第２の部分は、カラー３３から径方向に延在しているフランジ３４と、フランジ３４から第２の端部キャップ４のディスク２０に向かって軸線方向に延在している複数の歯又はピケット３５とを備えている。軸受３１は、内輪と外輪とを備えている。内輪はキャリッジ３０に固定されており、外輪はマウント３２に固定されている。マウント３２は、筒状部分３７と、筒状部分３７の端部から外方に延在している錐状部分３８とを備えている。
【００２３】
付勢部材６は、軸部２１を囲んでいるコイルバネとされる。付勢部材６は、第２の端部キャップ４のディスク２０と軸受組立体５のキャリッジ３０との間に配置されている。従って、付勢部材６は、軸受組立体５を第１の位置に向かって付勢するようになっている。
【００２４】
駆動組立体７は、軸部２１に取り付けられており、モータマウント４０と、モータ４１と、モータ４１を制御するための回路集合体４２と、カップリング要素４３とを備えている。モータマウント４０は、回路集合体４２を収容している略筒状の本体を備えている。モータマウント４０は、その一方の端部において軸部２１に固定されており、その反対側の端部においてモータ４１に固定されている。モータ４１は、モータ４１のシャフト４４が軸部２１ひいては軸受組立体５と同軸に配置されるように、モータマウント４０に固定されている。カップリング要素４３は、モータ４１のシャフト４４に固定されている。
【００２５】
攪拌装置８は筒状本体５０を備えており、剛毛、払除ストリップ、又は表面を攪拌するための他の手段５１が筒状本体５０に固定されている。さらに、攪拌装置８はカップリング要素５２を備えており、カップリング要素５２は、筒状本体５０の内側に配置されており、筒状本体５０と一体に形成されている。攪拌装置８は、その一方の端部において、軸受組立体５に取り付けられており、その反対側の端部において、第１の端部キャップ３の内部に配置されている軸受１３に取り付けられている。従って、攪拌装置８は、攪拌装置チャンバ１０の内部に回転可能に取り付けられている。攪拌装置８は、軸受組立体５を付勢部材６に抗して第２の位置に向かって軸部２１に沿って押す。キャリッジ３０の歯３５は、スプロケット２２と係合している。攪拌装置８は、駆動組立体７を囲んでおり、駆動組立体７のカップリング要素４３は、モータ４１によって発生されるトルクが攪拌装置８に伝達するように、攪拌装置８のカップリング要素５２と係合している。
【００２６】
動作の際には、駆動組立体７によって発生されるトルクが攪拌装置８に伝達されるので、これにより攪拌装置８が回転する。付勢部材６は、第１の位置に向かって、すなわち第１の端部キャップ３に向かって軸受組立体５を付勢している。従って、攪拌装置８は、軸受組立体５と第１の端部キャップ３との間に取り付けられており、攪拌装置チャンバ１０の内部に比較的に堅固に保持されている。結論として、軸線方向（すなわち、攪拌装置８の回転軸線に対して平行とされる方向）における攪拌装置８の移動が著しく低減される。実際に、既に圧縮状態すなわち装填状態になっている付勢部材６の付勢力より大きい力を作用させることによって、初めて軸線方向の移動が可能となる。
【００２７】
攪拌装置８の端部には、マウント３２の錐状部分３８と嵌合する錐状の内面５３が形成されている。付勢部材６が軸受組立体５を第１の端部キャップ３に向かって付勢するので、マウント３２の錐状部分３８は攪拌装置８の錐状の内面５３に押し込まれ、攪拌装置８の錐状の内面５３と堅固に嵌合する。このことは、２つの利点を有している。第一に、攪拌装置８が、その一方の端部においてマウント３２に対して堅固に保持される。攪拌装置８の反対側の端部は、第１の端部キャップ３の内部に配置されている軸受１３に対して堅固に保持される。結論として、径方向（すなわち、攪拌装置８の回転軸線に対して垂直とされる方向）における攪拌装置８の移動が防止される。第二に、錐状の内面を利用することによって、軸受３１に対する攪拌装置８の同心性が改善される。結論として、攪拌装置８が回転している場合において、軸受３１の径方向の負荷が低減される。特に、アンバランス力に起因する径方向の負荷が低減されるので、軸受３１の耐用寿命が伸びる。
【００２８】
マウント３２の筒状部分３７の外径は、駆動組立体７の外径より僅かに大きい。結論として、攪拌装置８が滑り落ちるか、又は錐状部分３８によって支持されなくなった場合であっても、攪拌装置８と駆動組立体７との接触が防止される。
【００２９】
キャリッジ３０の歯３５は、軸部２１に対するキャリッジ３０の回転が防止されるように、第２の端部キャップ４のスプロケット２２に係合している。結論として、攪拌装置８が回転している場合には、マウント３２と軸受３１の外輪とが回転する一方、キャリッジ３０と軸受３１の内輪とが静止状態を維持している。これにより、キャリッジ３０が軸部２１に対して相対的に回転しないので、大きい騒音が発生しなくなり、最終的にはキャリッジ３０及び／又は軸部２１の摩耗及び将来的な故障を防止することができる。
【００３０】
攪拌装置８は本体２から取り外し可能とされるので、利用者は攪拌装置８の周囲に捕捉された髪の毛、繊維、及び他の塵埃を容易に取り除くことができる。攪拌装置８を取り外すために、第１の端部キャップ３を本体２に対して相対的に捻ることによって、第１の端部キャップ３が本体２から解除される。付勢部材６は、軸受組立体５ひいては攪拌装置８を第１の端部キャップ３に向かって付勢している。結論として、第１の端部キャップ３を解除する際に、付勢部材６によって攪拌装置８が側面開口部１２から外方に押される。従って、攪拌装置８が本体２から突出しているので、利用者は攪拌装置８を把持し、攪拌装置８を側面開口部１２を通じて引き出すことができる。
【００３１】
清浄されると、攪拌装置８を側面開口部１２を通じて挿入することによって、攪拌装置８は本体２に戻される。攪拌装置８が側面開口部１２を通じて押し込まれると、スリーブのように駆動組立体７を囲んだ状態で攪拌装置８は滑動する。その後に、攪拌装置８の端部が軸受組立体５に接触する。より具体的には、攪拌装置８の錐状の内面５３がマウント３２の錐状部分３８に嵌合する。攪拌装置８が本体２の内部に向かってさらに押し込まれると、攪拌装置８が付勢部材６に抗して第２の位置に向かって軸受組立体５を押す。その後に、攪拌装置８のカップリング要素５２が駆動組立体７のカップリング要素４３と係合し、キャリッジ３０の歯３５が第２の端部キャップ３のスプロケット１２と係合する。最後に、第１の端部キャップ３が軸受１３を介して攪拌装置８に装着され、側面開口部１２を閉塞するように本体２に固定される。
【００３２】
図７及び図８は、掃除機ヘッド１を具備する清掃具６０を表わす。当該実施例では、清掃具６０はスティック式真空掃除機とされる。しかしながら、掃除機ヘッド１は、他のタイプの清掃具と共に同様に利用可能とされる。掃除機ヘッド１は、清掃具６０のダクト６１に回転可能に取り付けられている。より具体的には、掃除機ヘッド１は、回転軸線６２を中心としてダクト６１に対して相対的に回転する。従って、回転軸線６２は、攪拌装置８の回転軸線に対して垂直とされる。２つの回転軸線は互いから離隔して配置されているが、必ずしも交差している訳ではない。それにも関わらず、２つの回転軸線は直交している。すなわち、単位ベクトルが直交している。
【００３３】
駆動組立体７は、掃除機ヘッド１の比較的重い構成要素として形成されているので、掃除機ヘッド１の重心位置に対して大きな影響を及ぼす。掃除機ヘッド１の重心が掃除機ヘッド１の回転軸線６２を含む垂直面６３内に位置するように、駆動組立体７は軸部２１に沿って取り付けられている。このことは、（例えば、物体を越えるように又は物体を迂回するように掃除機ヘッド１を操作するために）掃除機ヘッド１が床から持ち上げられた場合であっても、掃除機ヘッド１がダクト６１に対して相対的に回転しないという利点を有している。これにより、掃除機ヘッド１の操作が一層容易になる。対照的に、大部分の従来技術に基づく掃除機ヘッドの重心は、回転軸線に対してオフセットされている。結論として、掃除機ヘッドが床から持ち上げられた場合には、掃除機ヘッドが一方に回転するので、掃除機ヘッドの操作が一層困難になる。
【００３４】
掃除機ヘッド１の回転軸線６２を含む垂直面６３を跨ぐようにモータマウント４０を配置させることによって、掃除機ヘッド１の重量バランスが釣り合った状態となる。結論として、モータ４１は、駆動組立体７ひいては掃除機ヘッド１の比較的重い構成要素であるが、垂直面６３の一方の面において本体２に取り付けられているが、垂直面６３の反対側の面において物理的に配置されている。特に攪拌装置８が取り外し可能とされる場合に、このようにモータ４１を配置することは全く明白なことではない。モータ４１の重量による比較的大きいモーメントが軸部２１に作用するからである。さらに、攪拌装置８に径方向の遊隙が存在する場合には、モータ４１の重量が攪拌装置８に作用することによって、攪拌装置８の回転軸線が歳差運動し、これによりバランスを崩す大きい力が発生する。
【００３５】
掃除機ヘッド１の重心が掃除機ヘッド１の回転軸線６２上に直接配置されている必要は無い。また、重心を回転軸線６２の直上又は直下に配置させることによって、ダクト６１に対する相対的な掃除機ヘッド１の回転を防止することができる。このことは、垂直面６３が回転軸線６２を含んでいることに起因する。
【００３６】
上述の実施例では、攪拌装置８は本体２から取り外し可能とされる。このことは、攪拌装置８の周囲に捕捉された塵埃を容易に取り除くことができるという利点を有している。それにも関わらず、攪拌装置８が本体２から取り外し可能とされることは必須ではなく、本体２の底面に形成された開口部１１を介して攪拌装置８にアクセスすることによっても、捕捉された塵埃を取り除くことができる。
【００３７】
駆動組立体７は、攪拌装置８を駆動するために必要とされるトルクを発生させるモータ４１を備えている。場合によっては、駆動組立体７は、必要なトルクを発生させるための代替的な手段を備えている。例えば、掃除機ヘッド１が真空掃除機の一部分を形成するように構成されている場合には、駆動組立体７が空気タービンを備えている。真空掃除機が発生させる吸引によって、空気が本体２の側面に形成された開口部、軸部２１の中心、及び駆動組立体７を通じて取り込まれ、これにより空気タービンに動力が供給され、その後に攪拌装置８の端部を通じて排出され、攪拌装置チャンバ１０の内部に取り込まれる。
【００３８】
上述の実施例では、駆動組立体７の全体が攪拌装置８の内部に配置されている。このことは、掃除機ヘッド１を比較的小さくすることができるという利点を有している。それにも関わらず、駆動組立体７又は駆動組立体７の一部分が攪拌装置８の外部に配置されている場合がある。例えば、モータ４１と回路集合体４２とが本体２の他の場所に配置されており、伝達機構を介してモータ４１から攪拌装置８にトルクが伝達される。さらに、清掃具のタイプに従って、駆動組立体７が清掃具の本体の内部に配置されている場合がある。
【００３９】
マウント３２は、筒状部分３７と錐状部分３８とを有している。錐状部分３８は、攪拌装置８の錐状の内面５３と嵌合しており、筒状部分３７は、攪拌装置８が錐状部分３８から脱離した場合に攪拌装置８を支持するための安全機構として機能する。マウント３２の形状は、攪拌装置８を支持することができることを条件として任意とされる。とは言うものの、攪拌装置８の傾斜面に対応する傾斜面をマウント３２に設けることには、利点が存在する。特に、径方向における攪拌装置８の移動が防止されるか、又は著しく低減される。さらに、攪拌装置８と軸受３１との間における同心性が比較的良好になる。結論として、攪拌装置８による軸受３１の径方向の負荷が低減され、これにより軸受３１の耐用寿命が伸びる。
【００４０】
軸受組立体７を備えている場合であっても、軸受組立体７のキャリッジ３０が歯３５を有していることも、第１の端部キャップ３がスプロケット２２を有していることも必ずしも必要なことではない。実際に、軸受組立体７がキャリッジ３０を備えていることは全く必須なことではない。例えば、キャリッジ３０を設けず、軸受３１の内輪が軸部２１に接触し、軸部２１に沿って往復する場合がある。しかしながら、このような構成は、利用の際に軸受３１の内輪が軸部２１に対して相対的に回転するという欠点を有している。さらなる代替的な例としては、歯３５とスプロケット２２とを設けず、他の手段によって、軸部２１に対する相対的なキャリッジ３０の回転を防止する場合がある。例えば、軸部２１が非円状の断面を有しているか、又はキャリッジ３０が軸部２１の溝と係合する突起を有していることが考えられる。しかしながら、軸受３１が円状に形成されているので、非円状の断面を具備する軸部２１を利用することによって、軸受組立体７の外径が大きくなる可能性がある。さらに、軸部２１の内側が、空気流を駆動組立体７に輸送するために、例えば駆動組立体７の構成部品を冷却又は駆動するために利用される場合がある。非円状の断面又は溝を具備する軸部２１を利用することによって、軸部２１の内側の断面積が小さくなるので、これにより駆動組立体７に向かう空気の流れが阻害される可能性がある。
【符号の説明】
【００４１】
１  掃除機ヘッド
２  本体
３  第１の端部キャップ
４  第２の端部キャップ
５  軸受組立体
６  付勢部材
７  駆動組立体
８  攪拌装置
１０  攪拌装置チャンバ
１１  開口部
１２  側面開口部
１３  軸受
２０  ディスク
２１  軸部
２２  スプロケット
３０  キャリッジ
３１  軸受
３２  マウント
３３  カラー
３４  フランジ
３５  歯（ピケット）
３７  筒状部分
３８  錐状部分
４０  モータマウント
４１  モータ
４２  回路集合体
４３  カップリング要素
４４  シャフト
５０  筒状本体
５１  剛毛（払除ストリップ、表面を攪拌するための他の手段）
５２  カップリング要素
５３  （攪拌装置８の）錐状の内面
６０  清掃具
６１  ダクト
６２  （掃除機ヘッド１の）回転軸線
６３  垂直面
【図１】
2015177978.tif 000003
【図２】
2015177978.tif 000004
【図３】
2015177978.tif 000005
【図４】
2015177978.tif 000006
【図５】
2015177978.tif 000007
【図６】
2015177978.tif 000008
【図７】
2015177978.tif 000009
【図８】
2015177978.tif 000010
【外国語明細書】
2015177978000001.pdf